(57)【要約】【課題】曲げによる光ファイバ心線の断線を防ぐとともに小型化が可能な光ファイバケーブルを提供する。【解決手段】光ファイバケーブル１は、複数本の光ファイバ心線２０，３０と、光ファイバ心線２０，３０を被覆する外被４０と、を備え、光ファイバ心線２０，３０は、第１の外径を有してお互いに接触するように並列される少なくとも２つの第１の光ファイバ心線２０と、第１の外径よりも小さい第２の外径を有して第１の光ファイバ心線２０間の凹部２１に配置される少なくとも１つの第２の光ファイバ心線３０と、を有している。【選択図】図１
2013254141.tif 000002
【特許請求の範囲】
【請求項１】
複数本の光ファイバ心線と、
前記複数本の光ファイバ心線を被覆する外被と、
を備え、
前記複数本の光ファイバ心線は、第１の外径を有してお互いに接触するように並列される少なくとも２つの第１の光ファイバ心線と、前記第１の外径よりも小さい第２の外径を有して前記第１の光ファイバ心線間の凹部に配置される少なくとも１つの第２の光ファイバ心線と、を有することを特徴とする光ファイバケーブル。
【請求項２】
前記第１の光ファイバ心線は当該ケーブルの横断面における第１の方向に少なくとも２本以上、前記第１の方向に直交する第２の方向に少なくとも２本以上が並列され、
１本の前記第２の光ファイバ心線は、４本の前記第１の光ファイバ心線間の隙間に収納されるように配置されていることを特徴とする請求項１に記載の光ファイバケーブル。
【請求項３】
前記第１の外径が５００μｍ±１０％であり、前記第２の外径が２００μｍ±１０％であることを特徴とする請求項１または２に記載の光ファイバケーブル。
【請求項４】
前記外被内で前記複数本の光ファイバ心線の束を挟んで平行に配置される一対の抗張力線を備えていることを特徴とする請求項１から３のいずれか一項に記載の光ファイバケーブル。
【請求項５】
当該ケーブルの横断面における前記一対の抗張力線の中心を結ぶ直線上に前記第２の光ファイバ心線が配置されていることを特徴とする請求項４に記載の光ファイバケーブル。
【請求項６】
前記直線から前記第１の光ファイバ心線の各々の中心までの距離が同一となるように前記第１の光ファイバ心線が配置されていることを特徴とする請求項５に記載の光ファイバケーブル。
【請求項７】
当該ケーブルの横断面における前記一対の抗張力線の中心を結ぶ直線上に前記第１の光ファイバ心線が配置されていることを特徴とする請求項４に記載の光ファイバケーブル。
【請求項８】
前記直線から前記第２の光ファイバ心線の各々の中心までの距離が同一となるように前記第２の光ファイバ心線が配置されていることを特徴とする請求項７に記載の光ファイバケーブル。
【発明の詳細な説明】
【技術分野】
【０００１】
本発明は、外径の異なる複数の光ファイバ心線を一括被覆して形成される光ファイバケーブルに関する。
【背景技術】
【０００２】
外径が０．２５ｍｍ程度の複数本（例えば、８本）の光ファイバ心線をケーブル外被内に収容してなる光ファイバケーブルが知られている（特許文献１参照）。
【先行技術文献】
【特許文献】
【０００３】
【特許文献１】特開２００６−２６７６００号公報
【発明の概要】
【発明が解決しようとする課題】
【０００４】
特許文献１に記載の光ファイバケーブルにおいては、８本の光ファイバ心線を上下２段にして横方向または縦方向の配置を光ファイバ心線の半径分ずらしてジグザグに配置した例が記載されている。光ファイバ心線の横方向の配置をずらして配置した例の場合は、光ファイバケーブルの長手方向の幅が大きくなり、屋外配線時に風の影響を受けやすい。また、光ファイバ心線の縦方向の配置をずらして配置した例の場合は、光ファイバケーブルに繰返し曲げが加わると、曲げ中心から遠い場所に位置している最外部の光ファイバ心線が断線してしまうという懸念がある。
【０００５】
そこで、本発明は、曲げによる光ファイバ心線の断線を防ぐとともに小型化が可能な光ファイバケーブルを提供することを目的とする。
【課題を解決するための手段】
【０００６】
上記の目的を達成するために、本発明の光ファイバケーブルは、複数本の光ファイバ心線と、前記複数本の光ファイバ心線を被覆する外被と、を備え、前記複数本の光ファイバ心線は、第１の外径を有してお互いに接触するように並列される少なくとも２つの第１の光ファイバ心線と、前記第１の外径よりも小さい第２の外径を有して前記第１の光ファイバ心線間の凹部に配置される少なくとも１つの第２の光ファイバ心線と、を有するものである。
【０００７】
また、本発明の光ファイバケーブルは、前記第１の光ファイバ心線が当該ケーブルの横断面における第１の方向に少なくとも２本以上、前記第１の方向に直交する第２の方向に少なくとも２本以上並列され、１本の前記第２の光ファイバ心線は、４本の前記第１の光ファイバ心線間の隙間に収納されるように配置されているものが好ましい。
【０００８】
また、本発明の光ファイバケーブルは、前記第１の外径が５００μｍ±１０％であり、前記第２の外径が２００μｍ±１０％であるものが好ましい。
【０００９】
また、本発明の光ファイバケーブルは、前記外被内で前記複数本の光ファイバ心線の束を挟んで平行に配置される一対の抗張力線を備えていてもよい。
【００１０】
また、本発明の光ファイバケーブルは、当該ケーブルの横断面における前記一対の抗張力線の中心を結ぶ直線上に前記第２の光ファイバ心線が配置されているものが好ましい。
【００１１】
また、本発明の光ファイバケーブルは、前記直線から前記第１の光ファイバ心線の各々の中心までの距離が同一となるように前記第１の光ファイバ心線が配置されているものが好ましい。
【００１２】
また、本発明の光ファイバケーブルは、当該ケーブルの横断面における前記一対の抗張力線の中心を結ぶ直線上に前記第１の光ファイバ心線が配置されているものが好ましい。
【００１３】
また、本発明の光ファイバケーブルは、前記直線から前記第２の光ファイバ心線の各々の中心までの距離が同一となるように前記第２の光ファイバ心線が配置されているものが好ましい。
【発明の効果】
【００１４】
本発明の光ファイバケーブルによれば、複数本の光ファイバ心線を曲げ中心から近い位置に位置させることができるため、光ファイバケーブルの曲げによる光ファイバ心線の断線を防ぐことができる。
【図面の簡単な説明】
【００１５】
【図１】本発明の第一の実施形態に係る光ファイバケーブルを示す断面図である。
【図２】比較例１に係る光ファイバケーブルを示す断面図である。
【図３】比較例２に係る光ファイバケーブルを示す断面図である。
【図４】第一の実施形態の変形例に係る光ファイバケーブルを示す断面図である。
【図５】本発明の第二の実施形態に係る光ファイバケーブルを示す断面図である。
【図６】本発明の第三の実施形態に係る光ファイバケーブルを示す断面図である。
【図７】比較例３に係る光ファイバケーブルを示す断面図である。
【図８】第三の実施形態の変形例に係る光ファイバケーブルを示す断面図である。
【図９】本発明に係る光ファイバケーブルをドロップケーブルに適用した例を示す断面図である。
【発明を実施するための形態】
【００１６】
以下、本発明に係る複数の実施形態について図面を参照して詳細に説明する。
【００１７】
（第一の実施形態）
まず、図１から図４を参照して、本発明に係る第一の実施形態の例について説明する。図１は本実施形態に係る光ファイバケーブル１を示す断面図である。また、図２は比較例１に係る光ファイバケーブル１００を示す断面図であり、図３は比較例２に係る光ファイバケーブル２００を示す断面図である。さらに、図４は本実施形態の変形例に係る光ファイバケーブル１ａを示す断面図である。
【００１８】
図１に示すように、本実施形態に係る光ファイバケーブル１は、光ファイバ心線束１０と、この光ファイバ心線束１０を被覆する外被４０と、外被４０に収納される一対の抗張力線５０と、を備えている。
【００１９】
光ファイバ心線束１０は複数本（ここでは、例えば６本）の光ファイバ心線２０（第１の光ファイバ心線の一例）と複数本（ここでは、例えば２本）の光ファイバ心線３０（第２の光ファイバ心線の一例）とが束ねられて構成されている。
【００２０】
光ファイバ心線２０および光ファイバ心線３０は、外径が例えば１２５μｍのガラスファイバを被覆層で被覆したものである。被覆層は、紫外線硬化型樹脂等からなるものであり、各光ファイバ心線２０，３０が識別できるように、それぞれ着色されていてもよい。なお、被覆層は、径方向へ複数の層が積層された構造であっても良い。この複数層構造としては、内層とその周囲を覆う外層とを有する２層構造、または内層、外層及びその周囲を覆う着色層を有する３層構造などがある。
【００２１】
光ファイバ心線２０の被覆層の外径（第１の外径の一例）は、例えば５００μｍ±２０％の範囲であり、好ましくは例えば５００μｍである。また、光ファイバ心線３０の被覆層の外径（第２の外径の一例）は、例えば２００μｍ±２０％の範囲であり、好ましくは例えば２００μｍである。すなわち、光ファイバ心線３０は、光ファイバ心線２０のガラスファイバと同一の外径を有するガラスファイバの周囲に、光ファイバ心線２０の被覆層の外径よりも小さい外径の被覆層を被覆して形成されるものである。
【００２２】
本実施形態に係る光ファイバケーブル１において、光ファイバ心線２０は、当該光ファイバケーブル１の横断面における長手方向（第１の方向の一例）に少なくとも２本以上がお互いに接触するように並列され、ケーブル横断面における長手方向と直交する短手方向（第２の方向の一例）に少なくとも２本以上がお互いに接触するように並列されている。図１に示すように、例えば、光ファイバケーブル１は、ケーブル横断面の長手方向に沿って３本の光ファイバ心線２０を並列させ、それをケーブル横断面の短手方向に２列並べて、計６本の光ファイバ心線２０を収納することができる。
【００２３】
光ファイバ心線３０は、隣り合う４本の光ファイバ心線２０間の隙間に収納されるように配置されている。図１に示すように、光ファイバ心線２０を６本並列させた場合は、隣り合う４本の光ファイバ心線２０の隙間に光ファイバ心線３０を１本ずつ収納させて、計２本の光ファイバ心線３０を収納することができる。
【００２４】
このように構成された光ファイバ心線束１０は、外被４０により直接被覆される。外被４０としては、難燃ポリエチレン等の難燃ポリオレフィンを用いることが好ましい。
なお、光ファイバケーブル１の横断面において、外被４０の長辺の中央部にはそれぞれノッチ４１が設けられている。このノッチ４１は外被４０を引き裂いて光ファイバ心線束１０を取り出すために形成されたものであり、ノッチ４１から外被４０を引き裂くことにより光ファイバ心線束１０を容易に取り出すことができる。
【００２５】
光ファイバ心線束１０を構成する光ファイバ心線２０は、少なくとも１本の他の光ファイバ心線２０と接触するように配置されていることが好ましい。この構成によれば、並列された光ファイバ心線２０間に外被４０を構成する樹脂が入り込んで外被４０内で光ファイバ心線２０が孤立することがなく、光ファイバ心線束１０の取り出しが容易となる。
【００２６】
一対の抗張力線５０は、光ファイバ心線束１０を挟んで平行に配置されるように外被４０内に収納されている。抗張力線５０は、光ファイバケーブル１において最も剛性が大きいため、光ファイバケーブル１の曲がりやすい方向は、抗張力線５０の配置によりほぼ決まる。すなわち、光ファイバケーブル１の横断面における一対の抗張力線５０の中心を結ぶ直線Ａが、ケーブル１を曲げた時の曲げ中心となりやすい。
【００２７】
図１に示すように、光ファイバ心線２０同士の隙間に収納される光ファイバ心線３０は、光ファイバケーブル１の横断面における一対の抗張力線５０の中心を結ぶ直線Ａ上に配置されていることが好ましい。
このように構成することで、すべての光ファイバ心線２０の円周が直線Ａと接するように配置することができる。すなわち、光ファイバ心線２０は、直線Ａから光ファイバ心線２０の各々の中心までの距離Ｄ１が同一となるように配置することができる。
【００２８】
（実施例）
図１のような８心の光ファイバケーブル１について、ＪＩＳ  Ｃ６８５１  第１０項に基づき、耐繰返し曲げ特性を測定する試験を行った。具体的には、曲げ半径Ｒ：３０ｍｍ，サイクル数：１０サイクルの耐繰返し曲げ特性試験を行った。その結果、光ファイバケーブル１内の光ファイバ心線２０，３０に断線は生じず、伝送損失の劣化や光ファイバケーブル１の損傷もみられなかった。
【００２９】
図２に示すように、比較例１に係る光ファイバケーブル１００においては、外径５００μｍの８本の光ファイバ心線２０がお互いに接触するように配置されて構成されている光ファイバ心線束１１０が外被４０内に収納されている。また、一対の抗張力線５０は、光ファイバ心線束１１０を挟んで平行に配置されるように外被４０内に収納されている。ここで、一対の抗張力線５０の中心を結ぶ直線Ａから光ファイバケーブル１００の最外部の光ファイバ心線２０の中心までの距離をＤ２と規定する。
【００３０】
図３に示すように、比較例２に係る光ファイバケーブル２００においては、外径５００μｍの８本の光ファイバ心線２０がお互いに接触するように上下２段にしてジグザグに配置されて構成されている光ファイバ心線束２１０が外被４０内に収納されている。ここで、光ファイバ心線束２１０のケーブル横断面における長手方向の幅をＷ３と規定する。
【００３１】
本実施形態の光ファイバケーブル１と、比較例１の光ファイバケーブル１００および比較例２の光ファイバケーブル２００とを比較すると、まず、本実施形態の直線Ａから光ファイバ心線２０の中心までの距離Ｄ１は、比較例１の直線Ａから最外部の光ファイバ心線２０の中心までの距離Ｄ２よりも短い。さらに、本実施形態の光ファイバ心線束１０のケーブル横断面における長手方向の幅Ｗ１は、比較例２の光ファイバ心線束２１０のケーブル横断面における長手方向の幅Ｗ３よりも小さい。
【００３２】
以上、このように構成された第一の実施形態の光ファイバケーブル１によれば、光ファイバケーブルに８本の光ファイバ心線が収納される場合に、光ファイバケーブル１の曲げ中心である直線Ａから近い位置にすべての光ファイバ心線２０，３０を配置することができる。特に、曲げ応力に対して比較的耐性が弱い細径の光ファイバ心線３０を曲げ中心である直線Ａ上に配置することで、光ファイバ心線３０に生じる曲げ応力を小さくすることができる。また、光ファイバケーブル１の曲げ中心から近い位置に、かつ曲げ中心から等距離で太径の光ファイバ心線２０を配置することで、光ファイバ心線２０に生じる曲げ応力も小さく揃えることができる。そのため、光ファイバケーブル１を直線Ａ（曲げ中心）に沿って曲げた場合でも、光ファイバ心線２０，３０が断線するおそれが低く、ケーブルの曲げに対する信頼性を向上させることができる。
【００３３】
さらに、このように構成された第一の実施形態の光ファイバケーブル１によれば、光ファイバ心線束１０の幅Ｗ１を小さくできることに伴い、光ファイバケーブル１のケーブル横断面における長手方向の幅Ｗ２も、比較例２の光ファイバケーブル２００のケーブル横断面における長手方向の幅Ｗ４に比べて小さくすることができる。そのため、光ファイバケーブル１が屋外に配線された場合に風の影響を受けにくく、ケーブルを布設する際やケーブルから単心の光ファイバ心線を取り出す際の作業性が損なわれることがない。
【００３４】
また、光ファイバケーブル１のケーブル横断面における長手方向の幅Ｗ２を必要に応じて小型化できるため、コネクタ等の周辺機器の規格に沿った大きさでケーブルを製造することが可能となる。
【００３５】
さらに、光ファイバケーブル１内に収納される光ファイバ心線２０と光ファイバ心線３０との外径が大きく異なっているため、光ファイバケーブルから光ファイバ心線を取り出す際や光ファイバケーブル同士を融着する際に、目視での光ファイバ心線の選別が容易となり、作業性を向上させることができる。
【００３６】
図４に本実施形態の変形例に係る光ファイバケーブル１ａの断面図を示す。図４に示すように、例えば、光ファイバケーブル１ａは、外径５００μｍである４本の光ファイバ心線２０と、外径２００μｍである１本の光ファイバ心線３０とにより構成される光ファイバ心線束１１を備えている。具体的には、４本の光ファイバ心線２０をケーブル横断面における長手方向および短手方向にお互いが接触するように配置させて、その隙間に光ファイバ心線３０を１本収納して、５心の光ファイバケーブル１ａが形成されている。
【００３７】
このように構成された変形例に係る光ファイバケーブル１ａにおいても、光ファイバケーブル１ａの曲げ中心である直線Ａから近い位置にすべての光ファイバ心線２０，３０を配置することができる。そのため、光ファイバケーブル１ａを直線Ａに沿って曲げた場合でも、光ファイバ心線２０，３０の断線を防ぎ、ケーブルの曲げに対する信頼性を向上させることができる。
【００３８】
（第二の実施形態）
次に、図５を参照して、本発明に係る光ファイバケーブルの第二の実施形態について説明する。図５は、本実施形態に係る光ファイバケーブル２を示す断面図である。なお、第一の実施形態と同一または同等の部分については、図面に同一符号を付してその説明を省略あるいは簡略化する。
【００３９】
図５に示すように、光ファイバケーブル２は、外径５００μｍである３本の光ファイバ心線２０と、外径２００μｍである４本の光ファイバ心線３０とにより構成される光ファイバ心線束１２を備えており、７心の光ファイバケーブルとして形成されている。具体的には、外被４０内に、例えばケーブル横断面における長手方向（第１の方向）に１列に並列された３本の光ファイバ心線２０が配置され、隣り合う光ファイバ心線２０間に形成される凹部２１に光ファイバ心線３０が１本ずつ計４本配置されている。
【００４０】
光ファイバケーブル２においては、並列された太径の光ファイバ心線２０が、光ファイバケーブル２の横断面における一対の抗張力線５０の中心を結ぶ直線Ａ上に配置されていることが好ましい。
また、光ファイバ心線２０の凹部２１に配置された細径の光ファイバ心線３０は、直線Ａから光ファイバ心線３０の各々の中心までの距離Ｄ３が同一となるように配置されていることが好ましい。
【００４１】
以上、このように構成された第二の実施形態の光ファイバケーブル２によれば、同一外径で同数（ここでは、例えば７心）の光ファイバ心線を備えた従来の光ファイバケーブルと比べて、直線Ａから最外部に配置された光ファイバ心線３０の各々の中心までの距離Ｄ３を短くすることができる。それに伴い、光ファイバケーブル２のケーブル横断面における短手方向の高さＨ１も低く抑えることができる。そのため、光ファイバケーブル２を薄型化することができ、必要に応じて周辺機器の規格に沿った大きさでの製造が可能となる。
【００４２】
さらに、このように構成された第二の実施形態の光ファイバケーブル２によれば光ファイバケーブル２の曲げ中心である直線Ａから近い位置にすべての光ファイバ心線２０，３０を配置することができる。特に、太径の光ファイバ心線２０を直線Ａ上に配置し、隣り合う光ファイバ心線２０間の凹部２１に細径の光ファイバ心線３０を配置することで、光ファイバケーブル２の曲げ中心から近い位置に、かつ曲げ中心から等距離で、細径の光ファイバ心線３０を配置することができる。そのため、曲げ応力に対して比較的耐性の弱い光ファイバ心線３０に生じる曲げ応力も十分に小さく揃えることができ、光ファイバケーブル２を直線Ａ（曲げ中心）に沿って曲げた場合でも、光ファイバ心線２０，３０が断線するおそれが低く、ケーブルの曲げに対する信頼性を向上させることができる。
【００４３】
さらに、光ファイバ心線２０と光ファイバ心線３０との外径の違いにより、目視での光ファイバ心線の選別が容易となり、光ファイバケーブルを融着する際の作業性を向上させることができる。
【００４４】
（第三の実施形態）
次に、図６を参照して、本発明に係る光ファイバケーブルの第三の実施形態について説明する。図６は、本実施形態に係る光ファイバケーブル３を示す断面図である。なお、第一の実施形態と同一または同等の部分については、図面に同一符号を付してその説明を省略あるいは簡略化する。
【００４５】
図６に示すように、本実施形態の光ファイバケーブル３は、外径５００μｍである９本の光ファイバ心線２０と、外径２００μｍである４本の光ファイバ心線３０とにより構成される光ファイバ心線束１３を備えており、１３心の光ファイバケーブルとして形成されている。具体的には、外被４０内に、例えばケーブル横断面における長手方向（第１の方向）に並列された３本の光ファイバ心線２０がケーブル横断面における短手方向（第２の方向）に沿って３列で配置されており、隣り合う４本の光ファイバ心線２０間の隙間に光ファイバ心線３０が１本ずつ計４本収納されている。
【００４６】
図６に示すように、光ファイバケーブル３においては、３列で配置された光ファイバ心線２０のうち中央の列の光ファイバ心線２０が、光ファイバケーブル３の横断面における一対の抗張力線５０の中心を結ぶ直線Ａ（曲げ中心）上に配置されていることが好ましい。また、光ファイバ心線２０の隙間に収納された４本の光ファイバ心線３０は、直線Ａから光ファイバ心線３０の各々の中心までの距離Ｄ４が同一となるように配置されていることが好ましい。
【００４７】
図７に示すように、比較例３に係る光ファイバケーブル３００においては、本実施形態の光ファイバ心線２０，３０の合計本数と同じ１３本の光ファイバ心線２０がお互いに接触するように配置されて１３心の光ファイバ心線束３１０が構成されている。
【００４８】
本実施形態の光ファイバケーブル３と、比較例３の光ファイバケーブル３００とを比較すると、本実施形態の光ファイバ心線束１３のケーブル横断面における長手方向の幅Ｗ５は、比較例３の光ファイバ心線束３１０のケーブル横断面における長手方向の幅Ｗ７よりも小さい。
【００４９】
以上、このように構成された第三の実施形態の光ファイバケーブル３によれば、光ファイバ心線束１３のケーブル横断面における長手方向の幅Ｗ５を小さくできることに伴い、光ファイバケーブル３のケーブル横断面における長手方向の幅Ｗ６も比較例３の光ファイバケーブル３００のケーブル横断面における長手方向の幅Ｗ８と比べて小さくすることができる。
【００５０】
したがって、光ファイバケーブル３も、屋外配線時に風の影響を受けにくく、ケーブル布設時や光ファイバ取り出し時の作業性が損なわれることがない。また、光ファイバケーブル３のケーブル横断面における長手方向の幅Ｗ６を小さくできるため、周辺機器の規格に沿った大きさで光ファイバケーブルを製造することが可能となる。
【００５１】
さらに、光ファイバ心線２０と光ファイバ心線３０との外径の違いにより、目視での光ファイバ心線の選別が容易となり、光ファイバケーブルを融着する際の作業性を向上させることができる。
【００５２】
なお、図８に示す本実施形態の変形例のように、光ファイバケーブル３ａは、例えば１２本の光ファイバ心線２０と、６本の光ファイバ心線３０とにより構成される光ファイバ心線束１４を備えた１８心の光ファイバケーブルとして形成されていてもよい。光ファイバケーブル３ａにおいては、ケーブル横断面における長手方向（第１の方向）に４本の光ファイバ心線２０が並列され、それがケーブル横断面における短手方向（第２の方向）に３列で配置されており、隣り合う４本の光ファイバ心線２０間の隙間に光ファイバ心線３０が１本ずつ計６本収納されている。
【００５３】
このように、例えば外径５００μｍの太径の光ファイバ心線２０と例えば外径２００μｍの細径の光ファイバ心線３０とを適宜組み合わせることで、多数の光ファイバ心線を備えた小型の光ファイバケーブルを形成することができる。
【００５４】
なお、図１，４，６，８に示すように、光ファイバ心線２０の外径が５００μｍであって光ファイバ心線３０の外径が２００μｍである場合、隣り合う４本の光ファイバ心線２０の隙間に１本の光ファイバ心線３０を収納する構成とすると、１本の光ファイバ心線３０に対して各光ファイバ心線２０が接触する最密充填構造となる。そのため、高密度で光ファイバ心線を外被４０内に収納することができるとともに、細径の光ファイバ心線３０を側圧から保護することもできる。
【００５５】
（変形例）
次に、図９を参照して、本発明に係る光ファイバケーブルの変形例について説明する。図９は、本変形例に係る光ファイバケーブル４を示す断面図である。なお、第一の実施形態と同一または同等の部分については、図面に同一符号を付してその説明を省略あるいは簡略化する。
【００５６】
上記の第一から第三の実施形態においては、光ファイバケーブルをインドアケーブルとして形成することを説明したが、本発明はこれに限定されない。図９に示すように、光ファイバケーブル４は、支持線部６０を備えている。支持線部６０は、支持線６１と支持線を被覆する支持線被覆６２とを有している。すなわち、光ファイバケーブル４は、光ファイバを伝送路として一般個人宅へ直接引き込むアクセス系光通信の網構成方式であるＦＴＴＨ（Ｆｉｂｅｒ Ｔｏ Ｔｈｅ Ｈｏｍｅ）方式などにおいて使用されるドロップケーブルとして形成することができる。
【００５７】
このような構成の光ファイバケーブル４によれば、ドロップケーブルとして使用される光ファイバケーブル４のケーブル横断面における長手方向の幅を小さくすることできるため、屋外配線時の風の影響を受けにくく、屋外から一般個人宅へケーブルを引き込む際の作業性を向上させることができる。
【００５８】
さらに、光ファイバ心線２０と光ファイバ心線３０とを目視で選別することが容易となるため、ドロップケーブルとして使用される光ファイバケーブル４から単心の光ファイバ心線を取り出して家庭等に向けて布設する際の作業性を向上させることができる。
【００５９】
なお、上記の実施形態および変形例では、光ファイバケーブルが抗張力線５０または支持線６１を有する例を説明したが、本発明はこれに限られない。光ファイバケーブルが抗張力線５０または支持線６１を備えていない場合であっても、想定される曲げ中心の位置に光ファイバ心線束１０（１１，１２，１３，１４）を配置すればよい。
【００６０】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００６１】
１，１ａ，２，３，３ａ，４，１００，２００，３００：光ファイバケーブル
１０，１１，１２，１３，１４，２１０，３１０：光ファイバ心線束
２０，３０：光ファイバテープ心線
２１：凹部
４０：外被
５０：抗張力線
６０：支持線部
【図１】
2013254141.tif 000003
【図２】
2013254141.tif 000004
【図３】
2013254141.tif 000005
【図４】
2013254141.tif 000006
【図５】
2013254141.tif 000007
【図６】
2013254141.tif 000008
【図７】
2013254141.tif 000009
【図８】
2013254141.tif 000010
【図９】
2013254141.tif 000011